(57)【要約】【課題】耐熱性を向上させつつ、火葬した骨を安定した状態で納めることが可能な紙製骨壺を実現する。【解決手段】紙製骨壺１は、少なくとも一部を紙によって構成された有底筒状の骨壺本体２と、少なくとも一部を紙によって構成され、骨壺本体２に収容される有底筒状の本体内部容器３と、骨壺本体２の内面２ａおよび本体内部容器３の外面３ａを連結し、少なくとも骨壺本体２よりも高い耐熱性を有する接着層１１と、本体内部容器３の内面３ｂを覆うように設けられ、少なくとも骨壺本体２および本体内部容器３よりも高い耐熱性を有する塗膜層１５とを備える。【選択図】図３
0003210371.tif 000002
【実用新案登録請求の範囲】
【請求項１】
火葬した骨を納める紙製骨壺であって、
少なくとも一部を紙材料によって構成された有底筒状の骨壺本体と、
少なくとも一部を紙によって構成され、前記骨壺本体に収容される有底筒状の本体内部容器と、
前記骨壺本体の内面および前記本体内部容器の外面を連結し、少なくとも前記骨壺本体よりも高い耐熱性を有する接着層と、
前記本体内部容器の内面を覆うように設けられ、少なくとも前記骨壺本体および前記本体内部容器よりも高い耐熱性を有する塗膜層と、
を備えたことを特徴とする紙製骨壺。
【請求項２】
前記骨壺本体および前記本体内部容器は、それぞれ径の異なる紙管によって構成された周壁を有することを特徴とする請求項１に記載の紙製骨壺。
【請求項３】
前記骨壺本体の外周面に印刷が施されたことを特徴とする請求項２に記載の紙製骨壺。
【請求項４】
前記接着層および前記塗膜層の少なくとも一方は、前記骨壺本体および前記本体内部容器よりも低い熱伝導率を有することを特徴とする請求項１から請求項３のいずれかに記載の紙製骨壺。
【請求項５】
前記骨壺本体の内側底面と前記本体内部容器の外側底面との間に配置され、かつ前記接着層に埋入された１以上のスペーサを更に備えたことを特徴とする請求項１から請求項４のいずれかに記載の紙製骨壺。
【請求項６】
前記スペーサの外周面は、少なくとも前記骨壺本体および前記本体内部容器よりも高い耐熱性を有する第１の保護膜によって被覆されていることを特徴とする請求項５に記載の紙製骨壺。
【請求項７】
前記スペーサの少なくとも１つは、円環状をなし、前記骨壺本体の前記内側底面と同一の外径を有することを特徴とする請求項５または請求項６に記載の紙製骨壺。
【請求項８】
前記スペーサの少なくとも１つは、前記骨壺本体の前記内側底面の中央部に対応して配置されることを特徴とする請求項５から請求項７のいずれかに記載の紙製骨壺。
【請求項９】
少なくとも一部を紙によって構成され、前記骨壺本体の上部に印籠継の状態で接続される有底筒状の蓋体を更に備え、
前記蓋体の本体の内周面は、少なくとも前記蓋体の本体よりも高い耐熱性を有する第２の保護膜によって被覆されていることを特徴とする請求項１から請求項８のいずれかに記載の紙製骨壺。
【請求項１０】
前記本体内部容器の上縁部は、前記骨壺本体の上端縁から上方に延出し、前記骨壺本体の前記蓋体との印籠継に供されること特徴とする請求項９に記載の紙製骨壺。
【請求項１１】
前記接着層の上端に配置され、前記骨壺本体の前記蓋体との印籠継に供される蓋掛部材を更に備えたこと特徴とする請求項９または請求項１０に記載の紙製骨壺。
【請求項１２】
前記蓋掛部材は、前記骨壺本体および前記本体内部容器と共に前記接着層を収容する密閉空間を構成することを特徴とする請求項１１に記載の紙製骨壺。
【考案の詳細な説明】
【技術分野】
【０００１】
本考案は、火葬した骨を納める骨壺に関し、特に、紙を主材とする紙製骨壺に関する。
【背景技術】
【０００２】
従来、骨壺としては、火葬後の高温の骨を収容する必要があるため、比較的高い耐熱性を有する陶器製の骨壺が普及している。一方、そのような陶器製の骨壺は、比較的重量が大きいために持ち運びや取り扱いが容易ではなく、また、比較的高価になりがちであるという難点がある。さらに、陶器製の骨壺では、遺骨を土に還す等により不要となった骨壺の廃棄処理も簡単ではないという難点もある。
【０００３】
そこで、陶器製の骨壺に比べて重量が軽く、より安価に製造可能であり、また、不要となった場合の廃棄処理も容易な紙製骨壺が開発されている。この種の紙製骨壺として、例えば、紙素材で筒形の外壁体を形成し、該外壁体の下部に上底壁と下底壁とに挟んで断熱空間を形成した紙素材の底壁体を結合させ、該底壁体の上に該外壁体より小径として断熱空間を形成する紙素材の内壁体を立設し、該外壁体に蓋体を被せると共に、少なくとも上底壁と内壁体の内表面側を難燃処理した素材又は難燃層（アルミニウム箔等）を形成して構成されたものが知られている（特許文献１参照）。
【先行技術文献】
【特許文献】
【０００４】
【特許文献１】特開平１１−３１３８６０号公報
【考案の概要】
【考案が解決しようとする課題】
【０００５】
ところで、上記特許文献１に記載されたような従来技術によれば、難燃処理した素材又は難燃層を形成して構成された内壁体は、外壁体より小径とすることにより断熱空間が形成されるため、内壁体の支持構造は不安定であり、骨の収容作業時に変形するなどの問題がある。一方、そのような内壁体に収納した骨の重量を安定して支えるためには、内壁体の強度を補強する縦方向の数条の柱帯が必要となり、構造が複雑になるという問題が生じる。
【０００６】
本考案は、このような従来技術の課題を鑑みて案出されたものであり、耐熱性を向上させつつ、火葬した骨を安定した状態で納めることを可能とする紙製骨壺を提供することを主目的とする。
【課題を解決するための手段】
【０００７】
本考案の第１の側面では、火葬した骨を納める紙製骨壺であって、少なくとも一部を紙によって構成された有底筒状の骨壺本体と、少なくとも一部を紙によって構成され、前記骨壺本体に収容される有底筒状の本体内部容器と、前記骨壺本体の内面および前記本体内部容器の外面を連結し、少なくとも前記骨壺本体よりも高い耐熱性を有する接着層と、前記本体内部容器の内面を覆うように設けられ、少なくとも前記骨壺本体および前記本体内部容器よりも高い耐熱性を有する塗膜層と、を備えたことを特徴とする。
【０００８】
これによると、耐熱性を向上させつつ、火葬した骨を安定した状態で納めることが可能な紙製骨壺を実現できる。
【０００９】
本考案の第２の側面では、前記骨壺本体および前記本体内部容器は、それぞれ径の異なる紙管によって構成された周壁を有することを特徴とする。
【００１０】
これによると、紙管を用いた骨壺本体および本体内部容器によって、より簡易に製造可能な紙製骨壺を実現できる。
【００１１】
本考案の第３の側面では、前記骨壺本体の外周面に印刷が施されたことを特徴とする。
【００１２】
これによると、骨壺本体の外周面に印刷によって模様や色彩等を付すことにより、美観にすぐれた紙製骨壺を容易に実現できる。
【００１３】
本考案の第４の側面では、前記接着層および前記塗膜層の少なくとも一方は、前記骨壺本体および前記本体内部容器よりも低い熱伝導率を有することを特徴とする。
【００１４】
これによると、比較的高温の骨を納めた場合に骨壺本体の外表面が高温になることが防止され、紙製骨壺の取り扱いが容易となる。
【００１５】
本考案の第５の側面では、前記骨壺本体の内側底面と前記本体内部容器の外側底面との間に配置され、かつ前記接着層に埋入された１以上のスペーサを更に備えたことを特徴とする。
【００１６】
これによると、骨壺本体の内面と本体内部容器の外面との間に所望の大きさの間隙を安定的に確保することができるため、より簡易かつ精度良く接着層を設けることが可能となる。
【００１７】
本考案の第６の側面では、前記スペーサの外周面は、少なくとも前記骨壺本体および前記本体内部容器よりも高い耐熱性を有する第１の保護膜によって被覆されていることを特徴とする。
【００１８】
これによると、スペーサの耐久性が高まり、骨壺本体の内面と本体内部容器の外面と間の接着層をより安定的に保持することが可能となる。
【００１９】
本考案の第７の側面では、前記スペーサの少なくとも１つは、円環状をなし、前記骨壺本体の前記内側底面と同一の外径を有することを特徴とする。
【００２０】
これによると、骨壺本体の内面と本体内部容器の外面との間に所望の大きさの間隙をより安定的に確保することができる。
【００２１】
本考案の第８の側面では、前記スペーサの少なくとも１つは、前記骨壺本体の前記内側底面の中央部に対応して配置されることを特徴とする。
【００２２】
これによると、骨壺本体の内面と本体内部容器の外面との間に所望の大きさの間隙をより安定的に確保することができる。
【００２３】
本考案の第９の側面では、少なくとも一部を紙によって構成され、前記骨壺本体の上部に印籠継の状態で接続される有底筒状の蓋体を更に備え、前記蓋体の本体の内周面は、少なくとも前記蓋体の本体よりも高い耐熱性を有する第２の保護膜によって被覆されていることを特徴とする。
【００２４】
これによると、骨壺本体の上部に接続される蓋体の耐熱性をさらに確保しつつ、火葬した骨を安定した状態で納めることが可能な紙製骨壺を実現できる。
【００２５】
本考案の第１０の側面では、前記本体内部容器の上縁部は、前記骨壺本体の上端縁から上方に延出し、前記骨壺本体の前記蓋体との印籠継に供されること特徴とする。
【００２６】
これによると、簡易な構成により、骨壺本体の上部に蓋体を接続することが可能となる。
【００２７】
本考案の第１１の側面では、前記接着層の上端に配置され、前記骨壺本体の前記蓋体との印籠継に供される蓋掛部材を更に備えたこと特徴とする。
【００２８】
これによると、接着層の上端部分を保護しつつ、骨壺本体の上部に蓋体を安定的に接続することが可能となる。
【００２９】
本考案の第１２の側面では、前記蓋掛部材は、前記骨壺本体および前記本体内部容器と共に前記接着層を収容する密閉空間を構成することを特徴とする。
【００３０】
これによると、骨壺本体の内面と本体内部容器の外面と間の接着層をより安定的に保持することが可能となる。
【考案の効果】
【００３１】
このように本考案によれば、紙製骨壺は、耐熱性を向上させつつ、火葬した骨を安定した状態で納めることが可能となる。
【図面の簡単な説明】
【００３２】
【図１】実施形態に係る紙製骨壺の斜視図
【図２】図１に示した紙製骨壺の分解斜視図
【図３】図１に示した紙製骨壺の縦断面図
【図４】図３中のＩＶ−ＩＶ断面図
【図５】図３中のＶ−Ｖ断面図
【図６】図２に示したスペーサの平面図
【図７】図２に示した蓋掛部材の平面図
【考案を実施するための形態】
【００３３】
以下、本考案の実施の形態について図面を参照しながら説明する。
【００３４】
図１は本考案の実施形態に係る紙製骨壺１の斜視図であり、図２は図１に示した紙製骨壺１の分解斜視図である。なお、図２は、後述する接着層１１および塗膜層１５を省略して示されている。
【００３５】
紙製骨壺１は、紙を主材とし、火葬した人や動物等の比較的高温の状態の骨を納めることが可能な骨壺である。図１に示すように、紙製骨壺１は、少なくとも一部を紙によって構成された有底筒状（ここでは、有底の円筒状）の骨壺本体２と、少なくとも一部を紙によって構成され、骨壺本体２に収容される有底筒状（ここでは、有底の円筒状）の本体内部容器３（図２参照）と、少なくとも一部を紙によって構成され、骨壺本体２の上部に印籠継の状態で接続される有底筒状の蓋体４と、を備える。
【００３６】
紙製骨壺１に用いられる紙は、植物繊維（例えば、木材、古紙）を原料とするが、これに限らず、合成樹脂などの他の類似の性質を有する原料を用いることもできる。また、蓋体４については、紙を用いずに他の公知の材料を用いて構成してもよい。
【００３７】
骨壺本体２および本体内部容器３は、それぞれ大小の径の異なる紙管によって構成される筒状の周壁を有する。これにより、紙製骨壺１は簡易に製造可能となる。また、図示はしないが、骨壺本体２の外周面には、一般の紙製品と同様に印刷によって模様や色彩等を付すことが可能である。これにより、美観にすぐれた紙製骨壺１を容易に実現できる。
【００３８】
図３は図１に示した紙製骨壺１の縦断面図であり、図４は図３中のＩＶ−ＩＶ断面図であり、図５は図３中のＶ−Ｖ断面図であり、図６は図２に示したスペーサの平面図であり、図７は図２に示した蓋掛部材の平面図である。
【００３９】
骨壺本体２は、筒状部分の内周面および底部分の内側底面を含む内面２ａを有している。また、本体内部容器３は、筒状部分の外周面および底部分の外側底面から構成される外面３ａを有している。図３および図４に示すように、骨壺本体２の内面２ａと本体内部容器３の外面３ａとの間には一定の間隙が形成されており、この間隙には、内面２ａと外面３ａとを連結する接着層１１が充填されている。
【００４０】
接着層１１は、少なくとも骨壺本体２および本体内部容器３よりも高い耐熱性を有する。接着層１１の材料は特に限定されないが、例えば、防炎水性塗料「ＫＳ・プリペンダー」（有限会社ケイエスケイ社製）を用いることができる。これにより、紙製骨壺１の耐熱性を向上させつつ（すなわち、紙によって構成される部位の熱変色や熱劣化を抑制しつつ）、火葬した骨を安定した状態で納めることが可能となる。なお、耐熱性は、例えば、火葬後の骨の温度を想定した所定温度に試験片の該当部を所定時間保持し、その後の物性の変化等に基づき評価することができる。また、接着層１１は、骨壺本体２および本体内部容器３よりも低い熱伝導率を有する材料から構成するとよい。これにより、比較的高温の骨を納めた場合に骨壺本体２の外表面が高温になることが防止され、紙製骨壺１の取り扱いが容易となる。
【００４１】
また、紙製骨壺１は、骨壺本体２の内側底面と本体内部容器３の外側底面との間に配置され、かつ接着層１１に埋入されたスペーサ１２、１３を備えている。
【００４２】
図６にも示すように、スペーサ１２は、平面視において略矩形状をなし、骨壺本体２の内側底面（本体内部容器３の外側底面）の中心位置に対応して配置される。また、スペーサ１３は、平面視において略円環状をなし、本体内部容器３の外側底面の外周縁部に対応して（外側底面と同一の外径を有するように）配置される。このようなスペーサ１２、１３の配置により、骨壺本体２の内面と本体内部容器３の外面との間に所望の大きさの間隙をより安定的に確保することができる。
【００４３】
スペーサ１２、１３は、同一の高さ（例えば、３ｍｍ）を有しており、それらの高さによって骨壺本体２の内側底面と本体内部容器３の外側底面との間隙を安定的に確保することができるため、より簡易かつ精度良く接着層１１を設けることが可能となる。
【００４４】
また、スペーサ１２、１３を紙によって形成し、スペーサ１２、１３を接着層１１に埋入する前に、それらの外周面（少なくとも上下面）を、少なくとも骨壺本体２および本体内部容器３よりも高い耐熱性を有する図示しない保護膜（第１の保護膜）によって被覆しておくとよい。これにより、スペーサ１２、１３の耐久性が高まり、骨壺本体２の内面と本体内部容器３の外面と間の接着層１１をより安定的に保持することが可能となる。
【００４５】
なお、そのような保護膜としては、例えば、上述の防炎水性塗料「ＫＳ・プリペンダー」（有限会社ケイエスケイ社製）を用いることができる。
【００４６】
また、図３および図４に示すように、本体内部容器３の内面３ｂには、それを覆うように設けられ、少なくとも骨壺本体２および本体内部容器３よりも高い耐熱性を有する塗膜層１５が設けられている。
【００４７】
塗膜層１５は、少なくとも骨壺本体２および本体内部容器３よりも高い耐熱性を有する。塗膜層１５の材料は特に限定されないが、例えば、上述の接着層１１と同様に防炎水性塗料「ＫＳ・プリペンダー」（有限会社ケイエスケイ社製）を用いることができる。これにより、上述の接着層１１と相俟って紙製骨壺１の耐熱性をより向上させつつ、火葬した骨を安定した状態で納めることが可能となる。塗膜層１５は、接着層１１の厚み（例えば、３ｍｍ）よりも小さい厚みを有する。また、塗膜層１５は、骨壺本体２および本体内部容器３よりも低い熱伝導率を有する材料から構成するとよい。これにより、比較的高温の骨を納めた場合に骨壺本体２の外表面が高温になることが防止され、紙製骨壺１の取り扱いが容易となる。
【００４８】
蓋体４は、有底筒状をなし、少なくとも一部を紙によって構成される。また、蓋体４は、骨壺本体２の上部に印籠継の状態で接続される。図３および図５に示すように、蓋体４の本体の内周面４ａは、少なくともその蓋体４の本体よりも高い耐熱性を有する保護膜（第２の保護膜）２１によって被覆されている。これにより、紙製骨壺１は、骨壺本体２の上部に接続される蓋体４の耐熱性をさらに確保しつつ、火葬した骨を安定した状態で納めることが可能となる。
【００４９】
保護膜２１の材料は特に限定されないが、例えば、上述の接着層１１と同様に防炎水性塗料「ＫＳ・プリペンダー」（有限会社ケイエスケイ社製）を用いることができる。
【００５０】
ここで、本体内部容器３の上縁部３ｃは、図３に示すように骨壺本体２の上端縁から上方に延出しており、骨壺本体２の蓋体と４の印籠継に供される。これにより、簡易な構成により、骨壺本体２の上部に蓋体４を接続することが可能となる。
【００５１】
また、骨壺本体２側において、接着層１１の上端１１ａには、骨壺本体２の蓋体４との印籠継に供される蓋掛部材３１が設けられている。これにより、接着層１１の上端部分を保護しつつ、骨壺本体２の上部に蓋体４を安定的に接続することが可能となる。
【００５２】
また、蓋掛部材３１は、図７にも示すように、平面視において略円環状をなす。この蓋掛部材３１は、骨壺本体２および本体内部容器３と共に接着層１１を収容する密閉空間を構成する。これにより、骨壺本体２の内面２ａと本体内部容器３の外面３ａと間の接着層１１をより安定的に保持することが可能となる。
【００５３】
以上、本考案を特定の実施形態に基づいて説明したが、これらの実施形態はあくまでも例示であって、本考案はこれらの実施形態によって限定されるものではない。なお、上述の実施形態に示した本考案に係る紙製骨壺の各構成要素は、必ずしも全てが必須ではなく、少なくとも本考案の範囲を逸脱しない限りにおいて適宜取捨選択することが可能である。
【符号の説明】
【００５４】
１      ：紙製骨壺
２      ：骨壺本体
２ａ    ：内面
３      ：本体内部容器
３ａ    ：外面
３ｂ    ：内面
３ｃ    ：上縁部
４      ：蓋体
４ａ    ：内周面
１１    ：接着層
１１ａ  ：上端
１２    ：スペーサ
１３    ：スペーサ
１５    ：塗膜層
２１    ：保護膜
３１    ：蓋掛部材
【図１】
0003210371.tif 000003
【図２】
0003210371.tif 000004
【図３】
0003210371.tif 000005
【図４】
0003210371.tif 000006
【図５】
0003210371.tif 000007
【図６】
0003210371.tif 000008
【図７】
0003210371.tif 000009